(57)【特許請求の範囲】
【請求項１】
上面壁及び該上面壁の周縁から垂下する筒状側壁を有する本体と、天面壁及び該天面壁の周縁から垂下する筒状スカート壁を有する外蓋とを含み、該外蓋の該スカート壁と該本体の該側壁とは水平に延在する第一の旋回軸線を規定する第一のヒンジ手段を介して接続されており、該外蓋は該本体の該上面壁を覆う閉位置と該上面壁を露呈せしめる開位置との間を旋回自在であり、該本体の該上面壁には先端に排出口が形成されている排出筒が配設されており、該排出筒の上面には該排出口を覆う閉位置と該排出口を開放する開位置との間を旋回自在に第二の旋回軸線を規定する第二のヒンジ手段を介して内蓋が接続されており、該外蓋の該スカート壁の内周面には該外蓋が該閉位置から該開位置に旋回せしめられる間に該内蓋に干渉して該内蓋を該閉位置から該開位置に旋回動せしめ、しかる後に該内蓋を乗り越えて該内蓋から離隔せしめられ、且つ該外蓋が該開位置から該閉位置に旋回せしめられる間に該内蓋に干渉して該内蓋を該開位置から該閉位置に向けて旋回せしめ、しかる後に該内蓋から離隔せしめられる干渉手段が配設されている、合成樹脂から一体に成形された容器蓋において、
該排出筒は該第一の旋回軸線に沿って延出せしめられている、ことを特徴とする容器蓋。
【請求項２】
該排出筒は該第一の旋回軸線に対して平行に或いは該先端に向かって該第一の旋回軸線から漸次離隔する方向に０＜α≦４５度である傾斜角度をなして延出せしめられている請求項１記載の容器蓋。
【請求項３】
該干渉手段は該外蓋の該スカート壁の内周面から半径方向内方に突出する舌状片から構成されており、該舌状片は該外蓋が該閉位置に位置せしめられている状態において該第一の旋回軸線から離れる方向に向かって下方に傾斜して延在する及び／又は該第二の旋回軸線は該第一の旋回軸線から離れる方向に向かって上方に傾斜して延在する、請求項１又は２記載の容器蓋。
【発明の詳細な説明】
【技術分野】
【０００１】
本発明は、本体とこの本体に旋回自在に接続された外蓋とを含み、本体の上面壁には排出筒が配設され且つ排出筒には内蓋が旋回自在に接続されており、外蓋が本体の上面壁を覆う閉位置から開位置に旋回動せしめられると内蓋が排出筒の先端に存在する排出口を閉じる閉位置から排出口を開放する開位置に旋回動され、外蓋が開位置から閉位置に旋回動せしめられると内蓋が開位置から閉位置に旋回動せしめられる型の、合成樹脂から一体に成形された容器蓋に関する。
【背景技術】
【０００２】
下記特許文献１及び２には、食用油或いは液体調味料を収容した容器に好適に適用することができる容器蓋として、上面壁及びこの上面壁の周縁から垂下する筒状側壁を有する本体と、天面壁及びこの天面壁の周縁から垂下する筒状スカート壁を有する外蓋とを含み、外蓋のスカート壁と本体の側壁とは水平に延在する第一のヒンジ手段を介して接続されており、外蓋は本体の上面壁を覆う閉位置と上面壁を露呈せしめる開位置との間を旋回自在である、合成樹脂から一体に成形された容器蓋が開示されている。本体の天面壁には第一のヒンジ手段から遠ざかる方向に延出し且つ先端には排出口が形成されている排出筒が配設されており、排出筒の上面には排出口を覆う閉位置と排出口を開放する開位置との間を旋回自在に第二のヒンジ手段を介して内蓋が接続されている。外蓋のスカート壁の内周面には、外蓋が閉位置から開位置に旋回せしめられる間に内蓋に干渉して内蓋を閉位置から開位置に旋回動せしめ、しかる後に内蓋から離隔せしめられ、且つ外蓋が開位置から閉位置に旋回せしめられる間に内蓋に干渉して内蓋を開位置から閉位置に向けて旋回せしめ、しかる後に内蓋から離隔せしめられる干渉手段が配設されている。また、外蓋のスカート壁の内周面及び／又は天面壁の内面には外蓋が開位置から閉位置に旋回せしめられると内蓋に当接して内蓋を閉位置に強制する押圧手段が形成されている。内蓋は排出筒の両側面を超えて張り出す板状片であり、その内面中央部には排出口に係合するシールリングが形成されている。内蓋の内面両側部には係止突起が形成されており、排出筒にはその両側面から上方に延出する受け突起が形成されており、内蓋が該閉位置から開位置に旋回動せしめられる際及び該開位置から該閉位置に旋回動せしめられる際には該係止突起が該受け突起を弾性的に乗り越える。
【先行技術文献】
【特許文献】
【０００３】
【特許文献１】特開２００８−７４４７０号公報
【特許文献２】特開２０１０−１２６１９１号公報
【発明の概要】
【発明が解決しようとする課題】
【０００４】
而して、上述したとおりの従来の容器蓋には、その使用勝手に関して、次のとおりの問題がある。容器蓋が適宜の合成樹脂或いはガラスから形成された容器の口頸部に装着されている状態において、容器の内容物を消費せんとする際には、消費者は例えば右手で容器を把持し左手で容器蓋の外蓋を閉位置から開位置に旋回せしめる。かくすると、排出口が開放された状態で排出筒が露呈されることとなるが、排出筒の排出口は消費者に向かって開放された状態となる。従って、排出口から内容物を排出するのに先立って容器の把持を一旦解除して、把持方向を代えて右手或いは左手で容器を再把持することが必要であり、内容物の排出操作が煩わしいものになる。
【０００５】
本発明は上記事実に鑑みてなされたものであり、その主たる技術的課題は、上述したとおりの容器蓋に改良を加えて、内容物を排出する際に容器の把持を一旦解除して容器を再把持する必要がなく、例えば右手で容器を把持し左手で容器蓋の外蓋を閉位置から開位置に旋回せしめた後に、そのままの状態で右手を適宜の方向に回転せしめることによって、排出口を通して内容物を排出することを許容することである。
【課題を解決するための手段】
【０００６】
本発明によれば、排出筒の延出方向を第一の旋回軸線から遠ざかる方向ではなくて、第一の旋回軸線に沿った方向にせしめることによって、上記主たる技術的課題が達成される。
【０００７】
即ち、本発明によれば、上記主たる技術的課題を達成する容器蓋として、上面壁及び該上面壁の周縁から垂下する筒状側壁を有する本体と、天面壁及び該天面壁の周縁から垂下する筒状スカート壁を有する外蓋とを含み、該外蓋の該スカート壁と該本体の該側壁とは水平に延在する第一の旋回軸線を規定する第一のヒンジ手段を介して接続されており、該外蓋は該本体の該上面壁を覆う閉位置と該上面壁を露呈せしめる開位置との間を旋回自在であり、該本体の該上面壁には先端に排出口が形成されている排出筒が配設されており、該排出筒の上面には該排出口を覆う閉位置と該排出口を開放する開位置との間を旋回自在に第二の旋回軸線を規定する第二のヒンジ手段を介して内蓋が接続されており、該外蓋の該スカート壁の内周面には該外蓋が該閉位置から該開位置に旋回せしめられる間に該内蓋に干渉して該内蓋を該閉位置から該開位置に旋回動せしめ、しかる後に該内蓋を乗り越えて該内蓋から離隔せしめられ、且つ該外蓋が該開位置から該閉位置に旋回せしめられる間に該内蓋に干渉して該内蓋を該開位置から該閉位置に向けて旋回せしめ、しかる後に該内蓋から離隔せしめられる干渉手段が配設されている、合成樹脂から一体に成形された容器蓋において、
該排出筒は該第一の旋回軸線に沿って延出せしめられている、ことを特徴とする容器蓋が提供される。
【０００８】
好ましくは、該排出筒は該第一の旋回軸線に対して平行に或いは該先端に向かって該第一の旋回軸線から漸次離隔する方向に０＜α≦４５度である傾斜角度をなして延出せしめられている。該干渉手段は該外蓋の該スカート壁の内周面から半径方向内方に突出する舌状片から構成されており、該舌状片は該外蓋が該閉位置に位置せしめられている状態において該第一の旋回軸線から離れる方向に向かって下方に傾斜して延在する及び／又は該第二の旋回軸線は該第一の旋回軸線から離れる方向に向かって上方に傾斜して延在するのが好適である。
【発明の効果】
【０００９】
本発明の容器蓋においては、容器蓋が容器の口頸部に装着されている状態において、消費者が例えば右手で容器を把持し左手で容器蓋の外蓋を閉位置から開位置に旋回せしめると、排出口が消費者に向かってではなくて消費者の右手首に略直行する方向、即ち横方向、に開放された状態で排出筒が露呈されることとなる。従って、容器の把持を一旦解除して容器を再把持する必要なくして、単に右手首を適宜の方向に回転せしめることによって、排出口から内容物を排出することができる。
【図面の簡単な説明】
【００１０】
【図１】本発明に従って構成された容器蓋の好適実施形態を、外蓋が開位置にせしめられている状態で一部を断面で示す右側面図。
【図２】図１に示す容器蓋を、一部を断面で示す左側面図。
【図３】図１に示す容器蓋における本体の断面図。
【図４】図１に示す容器蓋における、外蓋が閉位置から開位置に旋回動せしめられる際の挙動を示す正面図。
【図５】図１に示す容器蓋における、外蓋が開位置から閉位置に旋回動せしめられる際の挙動を示す正面図。
【発明を実施するための形態】
【００１１】
以下、本発明に従って構成された容器蓋の好適実施形態を図示している添付図面を参照して、更に詳述する。
【００１２】
図１及び図２を参照して説明すると、本発明に従って構成された、全体を番号２で示す容器蓋は、ポリエチレン又はポリプロピレンの如き適宜の合成樹脂から一体に射出成形することができり、本体４と外蓋６とから構成されている。
【００１３】
本体４は、平面図において円形である上面壁８と、この上面壁８の周縁から垂下する円筒状側壁１０とを有する。上面壁８の上面外周縁部には、上方に突出する環状突条１２が形成されている。この環状突条１２の外周面下部には環状係止溝１４が形成されている。環状突条１２の内周面は下方に向かって半径方向内方に傾斜せしめられている。上面壁８の下面外周縁には下方に突出する円筒状シール突条１６が形成されている。側壁１０の内周面上部には環状小突条１８が形成され、側壁１０の内周面下部には環状係止突条２０が形成されている。
【００１４】
図１及び図２と共に図３を参照して説明を続けると、本体４の上面壁８には上方に隆起する排出筒２２が形成されている。図示の実施形態における排出筒２２は後述する第一の旋回軸線に実質上平行に、即ち図１において紙面に垂直な方向で且つ図３において左方に、延出せしめられている。更に詳述すると、図示の排出筒２２は基部２４と先端部２６とを有する。基部２４は実質上鉛直に上方に突出する一対の側壁部２８、略凹円弧状に延びる後壁部３０、実質上鉛直に延びる前壁部３２、及び図３において左方に向かって上方に傾斜して延びる上壁部３４によって規定されている。前壁部３２の上部には円形でよい貫通孔３６が形成されている。排出筒２２の先端部２６は、基部２４の前壁部３２から実質上水平に図3に置いて左方に突出する円筒状突出筒部３８によって規定されている。突出筒部３８の内径は貫通孔３６の内径に合致している。突出筒部３８の先端には円形排出口４０が形成されている。排出筒２２の基部と上記環状突条１２との間には、受台４２が形成されており、この受台４２の上面は実質上水平に延在せしめられている。図示の実施形態においては、排出筒２２は図３において左方に延出せしめられているが、所望ならば図３において右方に延出せしめることもできる。また、排出筒２２は上記第一の旋回軸線に実質上平行に延出せしめられているが、所望ならば先端に向かって上記第一の旋回軸線から漸次離隔する方向に０度＜α≦４５度である角度αで傾斜せしめることもできる。
【００１５】
排出筒２２の突出筒部３８の上面には、ヒンジ手段４４を介して内蓋４６が接続されている。かかる内蓋４６は図１乃至図３に実線で示す開位置と図３に二点鎖線で示す閉位置との間を移動自在である（内蓋４６の移動については後に更に言及する）。内蓋４６は排出筒２２の突出筒部３８を超えて張り出す横長板状片から構成されており、その上縁は円弧形状である。内蓋４６の内面の幅方向中央部には円形シールリング４８が形成されている。シールリング４８の外径は排出筒２２の突出筒部３８の内径と実質上同一であり、内蓋４６が閉位置にせしめられると、シールリング４８が突出筒部３８内に嵌入して突出筒部３８の先端を密封する。内蓋４６の内面の基端（図１乃至図３において下端）両側部には係止突起５０が形成されている。かかる係止突起５０は、内蓋４６が開位置に位置せしめられている状態で最下方に位置する平坦な係止面を有する。
【００１６】
排出筒２２の上面には上方及び両側方に延出する延出片５４が形成されており、この延出片５４には幅方向（図1及び２において左右方向）に間隔をおいて一対の受け突起５６が形成されている。受け突起５６は、前方に向かって下方に傾斜せしめられているのが好適である受け面を有する（受け突起５６及び上記係止突起５０の詳細については、上記特許文献２を参照されたい）。上記ヒンジ手段４４は内蓋４６の基端と延出片５４の先端（図１及び図２において上端）縁との間に配設されている。かかるヒンジ手段４４は、幅方向中央部（従って、一対の受け突起５６の間）に配設されている中央ヒンジ片４４ａと共に、一対の受け突起５６よりも幅方向外側に配設されている両側ヒンジ片４４ｂを含んでいる。中央ヒンジ片４４ａ及び両側ヒンジ片４４ｂの各々は水平に且つ一直線上に配置された薄肉ラインを有し、かかる薄肉ラインを旋回中心線として内蓋４６が旋回動せしめられる。所望ならば、両側ヒンジ片４４ｂを省略することもできる。
【００１７】
図１及び図２を参照して説明を続けると、外蓋６は天面壁６０とこの天面壁６０の周縁から垂下する筒状スカート壁６２とを有する。天面壁６０の中央部は幾分上方に膨出せしめられている。また、天面壁６０には所定角度領域において半径方向外方に突出する鍔６４が付設されている。図１及び図２と共に図４を参照することによって明確に理解される如く、鍔６４の外周縁は弧状であり、鍔６４の下面も弧状である。図示の実施形態においては、スカート壁６２は円筒形状の上部６６と円錐台形状の中間部６８と円筒形状の下部７０とを有する（外蓋６の「上下」は外蓋６が図２に二点鎖線で示す閉位置にせしめられている状態における上下を意味する）。外蓋６のスカート壁６２の外周面下端と上記本体４の側壁１０との間には全体を番号７２で示すヒンジ手段（このヒンジ手段７２は第一のヒンジ手段を構成し、その旋回中心軸線は上述した第一の旋回軸線を構成する）が配設されており、かかるヒンジ手段７２を介して外蓋６が本体４に接続されており、外蓋６は図１及び図２に実線で示す開位置と図２に二点鎖線で示す閉位置との間を旋回動せしめられる（外蓋６の旋回動については後に更に言及する）。ヒンジ手段７２自体は周知の形態でよく、それ故にヒンジ手段７２の構成については説明を省略する。
【００１８】
スカート壁６２の下部７０の内周面下端部には、ヒンジ手段７２が存在する領域を除いて円弧状に延在する係止突条７４が形成されている。スカ−ト壁６２の内周面には、更に、干渉手段７６も配設されている。図示の実施形態においては、干渉手段７６は、ヒンジ手段７２から略１００度の角度間隔をおいた部位にて、スカート壁６２の下部７０の内周面から半径方向内方に突出する舌状片７８から構成されている。かかる舌状片７８は上記係止突条７４よりも若干上方に位置し、外蓋６が図３に二点鎖線で示す閉位置にせしめられている状態において上記第一の旋回軸線から離れる方向に向かって下方に３０度程度でよい所定角度で傾斜して延在する。所望ならば、舌状片７８を傾斜せしめることに代えて、第二のヒンジ手段を構成する上記ヒンジ手段４４の旋回軸線即ち第二の旋回軸線を、第一の旋回軸線から離れる方向に向かって上方に所定傾斜角度で傾斜せしめることもできる。スカート壁６２の内周面には押圧手段８０も配設されている。図示の実施形態においては、押圧手段８０は、ヒンジ手段７２から略９０度の角度間隔をおいて部位にて、周方向に間隔をおいてスカート壁６２の上部６６の内周面及び天面壁６０の内面周縁部から突出する３個の押圧片８２から構成されている。押圧片８２の各々は実質上鉛直に延在せしめられており、夫々の突出縁の下端部は下方に向かって外方に傾斜している。所望ならば、幅方向に連続して延在する単一の広幅押圧片から押圧手段８０を構成することもできる。
【００１９】
上述したとおりの容器蓋２は、食用油或いは液体調味料の如き液体を収容した容器の口頸部８４の口頸部に好適に適用される。容器の口頸部８４に容器蓋２を装着する際には、本体４の側壁１０とシール突条１６との間の環状空間に容器の口頸部の上端部が挿入され、口頸部内に進入するシール突条１６によって口頸部が密封される。
【００２０】
外蓋６が図２に二点鎖線で示す閉位置に位置せしめられている時には、外蓋６のスカート壁６２の内周面下端部に形成されている係止突状７４が本体４の環状突状１２の外周面下部に形成されている係止溝１４に係止せしめられ、これによって外蓋６が閉位置に維持される。更に、外蓋６が閉位置に位置せしめられている時には、押圧手段８０が内蓋４６の外面（即ちシールリング４８が形成されている面に対して反対側の面）に当接して内蓋４６を閉位置に強制し、かくして排出筒２２の排出口４０を充分確実に密封する。
【００２１】
容器蓋２が装着された容器内に収容されている内容物を消費する際には、外蓋６の天面壁６０に付設されている鍔６４に指を掛けて外蓋６を図２に二点鎖線で示す閉位置から図１及び図２に実線で示す開位置に向けて旋回動せしめる。図１及び図２と共に図４を参照して説明を続けると、外蓋６が図４（ａ）に図示する位置から図４（ｂ）に図示する位置まで開動せしめられると、押圧手段８０が内蓋４６の外面から離隔せしめられると共に、外蓋６のスカート壁６２の内周面に形成されている干渉手段７６が内蓋４６の下面に当接して内蓋４６に干渉し始める。そして、外蓋６が図４（ｂ）に図示する位置から図４（ｃ）に図示する位置までに開動せしめられると、外蓋６の開動に付随して開動せしめられる内蓋４６に配設されている係止突起５０が排出筒２２に配設されている受け突起５６を弾性的に乗り越える。外蓋６が更に図４（ｄ）に図示する位置まで開動せしめられる際には、内蓋４６もこれに付随して更に開動せしめられるが、外蓋６が図４（ｄ）に図示する位置を越えて更に開動せしめられる際には、外蓋６の干渉手段７６は内蓋４６から離隔せしめられる。外蓋６の干渉手段７６が内蓋４６から離隔せしめられると、内蓋４６は弾性的に閉位置に向けて閉動せんとする傾向があるが、内蓋４６の係止突起５０の係止面が排出筒２２に配設されている受け突起５６の受け面に当接し、これによって内蓋４６の閉動が阻止され、内蓋４６は開位置に維持される。
【００２２】
外蓋６を開動せしめるとこれに付随して内蓋４６が開動せしめられるので、消費者は内蓋４６自体に指を掛けてこれを開動する必要なくして、容器の内容物を排出筒２２を通して排出することができる。特に、本発明に従って構成された容器蓋２においては、排出筒２２は第一の旋回軸線即ちヒンジ手段７２の旋回中心軸線に沿って延在せしめられている故に、例えば右手で容器を把持して左手で外蓋６を閉位置から開位置に開同せしめた場合、排出筒２２の先端に配設されている排出口４０は、左手首に略直行する方向を指向した状態となり、従って容器の把持を一旦解除して再把持する必要なくして右手首を右方向に回転（排出筒２２の延出方向が図示の実施形態の場合と逆の場合には左方向に回転）せしめることによって排出口４０を下方に指向せしめ、排出口４０から内容物を排出することができる。
【００２３】
内容物の消費を終了した後においては、外蓋６を図１及び図２に図示する開位置から図２に二点鎖線で示す閉位置に旋回動せしめる。図１及び図２と共に図５を参照して説明すると、外蓋６を図５（ａ）に図示する位置まで閉動せしめると、外蓋６のスカート壁６２に形成されている干渉手段７６が開位置に位置せしめられている内蓋４６の外面に当接して内蓋４６に干渉し始める。そして、外蓋６を図５（ａ）に図示する位置から図５（ｂ）に図示する位置まで閉動せしめると、外蓋６の閉動に付随して内蓋４６も閉動せしめられ、内蓋４６に配設されている係止突起５０が排出筒２２に配設されている受け突起５６を弾性的に乗り越える。外蓋６が図５（ｂ）に図示する位置から図５（ｃ）に図示する位置まで閉動せしめられると、これに付随して内蓋４６も閉動せしめられて内蓋４６は一旦排出筒２２の排出口４０を密封する閉位置にせしめられるが、外蓋６の干渉手段７６が内蓋４６から離隔せしめられた後においては、図５（ｃ）に図示する如く内蓋４６が弾性復元作用に起因して幾分開方向に旋回される傾向がある。しかしながら、外蓋６が図５（ｄ）に示す閉位置まで閉動せしめられる際には、外蓋６に配設されている押圧手段８０が内蓋４６の外面に当接して内蓋４６を閉位置に強制する。また、外蓋６に形成されている係止突状７４が本体４の環状突状１２に形成されている係止溝１４に係止され、これによって外蓋６が閉位置に維持される。
【符号の説明】
【００２４】
２：容器蓋
４：本体
６：外蓋
８：本体の上面壁
１０：本体の側壁
２２：排出筒
４４：ヒンジ手段（第二のヒンジ手段）
４６：内蓋
６０：外蓋の天面壁
６２：外蓋のスカート壁
７２：ヒンジ手段（第一のヒンジ手段）
７６：干渉手段
８０：押圧手段
【図１】
0005650508.tif 000002
【図２】
0005650508.tif 000003
【図３】
0005650508.tif 000004
【図４】
0005650508.tif 000005
【図５】
0005650508.tif 000006